(57)【要約】【課題】光ディスクへの録画予約で光ディスクの交換時期を事前に知ることができる光ディスク記録再生装置を提供する。【解決手段】挿入されているＤＶＤが、録画できるＤＶＤでない場合、または空き容量が無いＤＶＤである場合には、録画予約一覧画面に表示された全てのテレビ番組の録画予約の内容を示すカーソル領域については黒色で表示される。これにより、現在挿入されているＤＶＤでは録画できないことが分かり、録画漏れを防げる。また、挿入されているＤＶＤが、録画できるＤＶＤである場合には、同じＤＶＤで録画できるテレビ番組の録画予約の内容を示すカーソル領域については録画予約一覧画面において同色で表示される。これにより、現在挿入されているＤＶＤで録画できるテレビ番組が分かり、また、次の光ディスクや次の次の光ディスクなどの交換時期が前もって知ることができ録画漏れを防げる。【選択図】図６
2008282509.tif 000002
【特許請求の範囲】
【請求項１】
光ディスクにテレビ番組やその他の情報を記録したり、光ディスクに記録されたテレビ番組やその他の情報を再生したりする光ディスク記録再生装置において、
挿入されている光ディスクが、録画できる光ディスクでない場合、または空き容量が無い光ディスクである場合には、録画予約一覧画面に表示された全てのテレビ番組の録画予約の内容を示すカーソル領域については同色で表示させる第１の表示処理手段と、挿入されている光ディスクが、録画できる光ディスクである場合には、同じ光ディスクで録画できるテレビ番組の録画予約の内容を示すカーソル領域については前記録画予約一覧画面において同色で表示させる第２の表示処理手段と、を有するシステムコントローラを備えたことを特徴とする光ディスク記録再生装置。
【請求項２】
前記システムコントローラは、現在挿入されている光ディスクで録画できるテレビ番組の録画予約以外の残りのテレビ番組の録画予約の内容を示すカーソル領域については前記録画予約一覧画面において各光ディスクの規定容量ずつ色分けして表示させる第３の表示処理手段と、毎週や毎日のような繰り返して録画予約するテレビ番組の録画予約の内容を示すカーソル領域については最初の録画開始時刻に対して表示色を設定する第４の表示処理手段と、毎週や毎日のような繰り返して録画予約するテレビ番組の録画予約の内容を示すカーソル領域については繰り返しを複数の録画予約として表示色を設定する第５の表示処理手段と、を有することを特徴とする請求項１に記載の光ディスク記録再生装置。
【請求項３】
前記第２の表示処理手段は、挿入されている光ディスクが、録画できる空き容量を有する光ディスクである場合に、前記録画予約一覧画面に表示された先頭の録画予約から今の空き容量の状態で録画できる録画予約の内容を示すカーソル領域を同色で表示を行わせることを特徴とする請求項２に記載の光ディスク記録再生装置。
【請求項４】
挿入されている光ディスクが、録画できる光ディスクでない場合、または空き容量が無い光ディスクである場合には、前記第１の表示処理手段は、録画予約一覧画面に表示された全てのテレビ番組の録画予約の内容を示すカーソル領域については黒色で表示させることを特徴とする請求項１に記載の光ディスク記録再生装置。
【発明の詳細な説明】
【技術分野】
【０００１】
本発明は、光ディスクに対してテレビ番組やその他の情報を記録／再生する光ディスク記録再生装置に関し、特に、録画予約一覧画面の表示機能に関する。
【背景技術】
【０００２】
近年、映画等のような大量の映像音声データなどの情報を記録することができる光ディスクであるＤＶＤ（デジタル・バーサタイル・ディスク）が普及している。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で何回か書き換え可能なＤＶＤ−ＲＷやＤＶＤ＋ＲＷあるいはＤＶＤ−ＲＡＭなどが知られている。これらのＤＶＤに記録された情報は、光ディスク再生装置（ＤＶＤプレイヤ）または光ディスク記録再生装置（ＤＶＤレコーダ）で再生可能であり、ＤＶＤ−Ｒ、ＤＶＤ＋Ｒ、ＤＶＤ−ＲＷ、ＤＶＤ＋ＲＷ、およびＤＶＤ−ＲＡＭへの情報の記録は、光ディスク記録再生装置（ＤＶＤレコーダ）で記録可能である。
【０００３】
ところで、ＤＶＤ−ＲＷやＤＶＤ＋ＲＷあるいはＤＶＤ−ＲＡＭなどの書き換え可能なＤＶＤは、テレビ番組を録画するのに使用されることが多い。ＤＶＤの記憶容量は、１枚当たり４．７ＧＢであるため、各ＤＶＤに録画できるテレビ番組の個数は、それほど多くない。したがって、録画したいテレビ番組をＤＶＤに録画する場合に、このテレビ番組を現在、装置に挿入されているＤＶＤに録画できるかどうかを調べるために、そのＤＶＤの空き容量を調べたりしている。
【特許文献１】再表ＷＯ２００２／０２８１００号公報
【特許文献２】特開２００３−９２７１１号公報
【発明の開示】
【発明が解決しようとする課題】
【０００４】
ところが、テレビ番組を複数個録画予約した場合に、現在挿入されているＤＶＤに、そのテレビ番組を全部録画できれば問題がないが、そのＤＶＤの残量が不足になれば、ＤＶＤを交換しなければならない。しかしながら、従来の光ディスク記録再生装置では、録画予約したテレビ番組を録画する際、ＤＶＤをいつ交換すれば良いかが分からないので、ユーザにとっては使い勝手が劣ると言う課題があった。
【０００５】
なお、特許文献１の従来技術では、録画予約を行った場合、記録メディアの残り容量を計算し、ユーザに予約の状況、予約可能かどうかを録画予約一覧表として表示するものであって、記録メディアの記録済み容量、録画予定容量、空き容量をグラフィカルに表示するようにしているが、記録メディアがＤＶＤであった場合、現在挿入されているＤＶＤに対しては、交換時期は分かるが、つまり、ＤＶＤに対して、次の交換時期は分かるが、次の次の交換時期は分からないので、ユーザにとっては、ＤＶＤの交換時期をいつも気にしなくてはならず、使い勝手が劣ると言う課題が生じる。
【０００６】
特許文献２の従来技術では、ＥＰＧ画面において予約された番組が、どの記録デバイスに記録されるかを一覧表示するものであって、一覧表示において予約された番組の色と、その番組が記録される記録デバイスの色とを同一にするようにしているが、記録デバイスの交換時期については開示されていない。
【０００７】
本発明は、上記のような課題を解決するためになされたもので、光ディスクへの録画予約で光ディスクの交換時期を事前に知ることができる光ディスク記録再生装置を提供することを目的とする。
【課題を解決するための手段】
【０００８】
上記目的を達成するために、請求項１の発明は、挿入されている光ディスクが、録画できる光ディスクでない場合、または空き容量が無い光ディスクである場合には、録画予約一覧画面に表示された全てのテレビ番組の録画予約の内容を示すカーソル領域については同色で表示させる第１の表示処理手段と、挿入されている光ディスクが、録画できる光ディスクである場合には、同じ光ディスクで録画できるテレビ番組の録画予約の内容を示すカーソル領域については前記録画予約一覧画面において同色で表示させる第２の表示処理手段とを有するシステムコントローラを備えたことを特徴とする光ディスク記録再生装置を提供する。
【０００９】
この構成においては、挿入されている光ディスクが、録画できる光ディスクでない場合、または空き容量が無い光ディスクである場合には、録画予約一覧画面に表示された全てのテレビ番組の録画予約の内容を示すカーソル領域については同色で表示される。これにより、ユーザは、現在挿入されている光ディスクでは録画できないことが分かり、録画漏れを防ぐことができる。また、挿入されている光ディスクが、録画できる光ディスクである場合には、同じ光ディスクで録画できるテレビ番組の録画予約の内容を示すカーソル領域については前記録画予約一覧画面において同色で表示される。これにより、ユーザは、現在挿入されている光ディスクで録画できるテレビ番組が分かり、次の光ディスクや次の次の光ディスクなどの交換時期が前もって知ることができ、録画漏れを防ぐことができる。
【００１０】
この構成によれば、ユーザは、現在挿入されている光ディスクでは録画できないことが分かったり、現在挿入されている光ディスクで録画できるテレビ番組が分かったりし、次の光ディスクや次の次の光ディスクなどの交換時期が前もって知ることができ、したがって、光ディスクの容量の確認の手間を省けると共に、録画漏れを防ぐことができる。
【００１１】
請求項２の発明では、請求項１の発明において、前記システムコントローラは、現在挿入されている光ディスクで録画できるテレビ番組の録画予約以外の残りのテレビ番組の録画予約の内容を示すカーソル領域については前記録画予約一覧画面において各光ディスクの規定容量ずつ色分けして表示させる第３の表示処理手段と、毎週や毎日のような繰り返して録画予約するテレビ番組の録画予約の内容を示すカーソル領域については最初の録画開始時刻に対して表示色を設定する第４の表示処理手段と、毎週や毎日のような繰り返して録画予約するテレビ番組の録画予約の内容を示すカーソル領域については繰り返しを複数の録画予約として表示色を設定する第５の表示処理手段とを有することを特徴とする。
【００１２】
この構成においては、現在挿入されている光ディスクで録画できるテレビ番組の録画予約以外の残りのテレビ番組の録画予約の内容を示すカーソル領域については録画予約一覧画面において各光ディスクの規定容量ずつ色分けして表示される。これにより、現在挿入されている光ディスクで録画できるテレビ番組の録画予約以外の残りのテレビ番組でも、今後、交換する光ディスクに、録画可能であることを前もって知ることができる。また、毎週や毎日のような繰り返して録画予約するテレビ番組の録画予約の内容を示すカーソル領域については最初の録画開始時刻に対して表示色が設定されることによって、毎週や毎日のような繰り返して録画予約されるテレビ番組を知ることができる。また、毎週や毎日のような繰り返して録画予約するテレビ番組の録画予約の内容を示すカーソル領域については繰り返しを複数の録画予約として表示色が設定されるので、毎週や毎日のような繰り返して録画予約するテレビ番組を知ることができる。
【００１３】
請求項３の発明では、請求項２の発明において、前記第２の表示処理手段は、挿入されている光ディスクが、録画できる空き容量を有する光ディスクである場合に、前記録画予約一覧画面に表示された先頭の録画予約から今の空き容量の状態で録画できる録画予約の内容を示すカーソル領域を同色で表示を行わせることを特徴とする。
【００１４】
この構成によれば、挿入されている光ディスクが、録画できる空き容量を有する光ディスクである場合に、前記録画予約一覧画面に表示された先頭の録画予約から今の空き容量の状態で録画できる録画予約の内容を示すカーソル領域が同色で表示されるので、現在挿入されている光ディスクで録画できるテレビ番組を知ることができる。
【００１５】
請求項４の発明では、請求項１の発明において、挿入されている光ディスクが、録画できる光ディスクでない場合、または空き容量が無い光ディスクである場合には、前記第１の表示処理手段は、録画予約一覧画面に表示された全てのテレビ番組の録画予約の内容を示すカーソル領域については黒色で表示させるので、黒色の表示の意味を知っているユーザにとっては、現在挿入されている光ディスクでは録画できないことが分かる。
【発明の効果】
【００１６】
以上のように本発明によれば、ユーザは、現在挿入されている光ディスクでは録画できないことが分かったり、現在挿入されている光ディスクで録画できるテレビ番組が分かったりし、次の光ディスクの交換時期や次の次の光ディスクの交換時期などを前もって知ることができ、したがって、光ディスクの容量の確認の手間を省けると共に、録画漏れを防ぐことができる。
【発明を実施するための最良の形態】
【００１７】
以下、添付図面を参照しつつ、本発明の実施の形態について説明する。図１は本発明の一実施形態に係る光ディスク記録再生装置の構成を示すブロック図である。
【００１８】
この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００１９】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２０】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００２１】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、録画予約一覧画面などをディスプレイ装置２０に表示させるためのＯＳＤ処理を行うＯＳＤ回路３５と、オーディオデコーダ１１から出力されたデータをアナログのオーディオ信号に変換して図示しない音声回路を介して例えばスピーカ１９に供給するＤ／Ａ変換器１６とを備えている。
【００２２】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００２３】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２４】
システムコントローラ２２は、本実施形態の特徴とする構成要素として、挿入されている光ディスク１が、録画できる光ディスクでない場合、または空き容量が無い光ディスクである場合には、録画予約一覧画面に表示された全てのテレビ番組の録画予約の内容を示すカーソル領域については同色で表示させる第１の表示処理手段２２１と、挿入されている光ディスク１が、録画できる光ディスクである場合には、同じ光ディスクで録画できるテレビ番組の録画予約の内容を示すカーソル領域については前記録画予約一覧画面において同色で表示させる第２の表示処理手段２２２と、現在挿入されている光ディスク１で録画できるテレビ番組の録画予約以外の残りのテレビ番組の録画予約の内容を示すカーソル領域については前記録画予約一覧画面において各光ディスクの規定容量ずつ色分けして表示させる第３の表示処理手段２２３と、毎週や毎日のような繰り返して録画予約するテレビ番組の録画予約の内容を示すカーソル領域については最初の録画開始時刻に対して表示色を設定する第４の表示処理手段２２４と、毎週や毎日のような繰り返して録画予約するテレビ番組の録画予約の内容を示すカーソル領域については繰り返しを複数の録画予約として表示色を設定する第５の表示処理手段２２５とを有する。
【００２５】
図２〜図５は本実施形態において録画予約一覧画面の内容の一例を示す図である。
【００２６】
先ず、図２は、現在挿入されているＤＶＤが、録画できるＤＶＤでない場合、または空き容量が無いＤＶＤに、全てのテレビ番組の予約のカーソル領域Ｃ１，Ｃ２，Ｃ３の表示については、同色、例えば、黒色で表示させている状態を示す録画予約一覧画面である。このような黒色の表示によって、現在挿入されているＤＶＤが、録画できるＤＶＤでない場合、または空き容量が無いＤＶＤである場合が分かり、録画できるＤＶＤに交換しなければならないことをユーザに促す。
【００２７】
図３は、現在挿入されているＤＶＤで録画できるテレビ番組の予約以外の残りのテレビ番組の予約のカーソル領域Ｃ１，Ｃ２，Ｃ３の表示については各ＤＶＤの規定容量（４．７ＧＢ）ずつ色分けして表示された録画予約一覧画面である。予約のカーソル領域Ｃ１の表示色は例えば青色、予約のカーソル領域Ｃ２の表示色は例えば赤色、予約のカーソル領域Ｃ３の表示色は例えば緑色と言うように、各ＤＶＤの規定容量である４．７ＧＢずつ色分けされている。このような色分けによって、現在挿入されているＤＶＤで録画できる予約以外の録画予約による録画は、別のＤＶＤと交換しなければならないことが分かる。
【００２８】
図４は、１月３日の録画予約から別のＤＶＤになる場合を示す録画予約一覧画面である。図４においては、チャンネルＣＨが８チャンネル、日付が１月１日（毎週月曜）、録画開始時刻がＡＭ１０：００、録画終了時刻がＡＭ１１：００、録画モードがＳＰで録画するテレビ番組は、毎週月曜に録画されることを示している。毎週、毎日のような繰り返して録画予約するテレビ番組に対しては、最初の録画開始時刻（例えばＡＭ１０：００）のカーソル領域に色を設定する。予約のカーソル領域Ｃ１の表示色は、例えば青色であり、予約のカーソル領域Ｃ２およびカーソル領域Ｃ３の表示色は、例えば赤色である。このような色分けをすることによって、１月３日の録画予約のテレビ番組からは、現在挿入されていない別のＤＶＤに録画しなければならないことが分かる。
【００２９】
毎週、毎日のような繰り返して録画予約するテレビ番組に対しては、繰り返しを複数の録画予約として考える。例えば、１月１日から始まる或るテレビ番組の毎週録画（次週１月８日にも録画する）と、１月３日の録画予約と、１月１０日の録画予約が登録されていた場合の録画の開始順番は、１月１日（毎週月曜）、１月３日、１月８日（毎週月曜）、１月１０日、１月１５日（毎週月曜）、１月２２日（毎週月曜）と言うようになるため、１月３日の録画予約から別のＤＶＤになる場合の予約のカーソル領域の表示は、図４に示すように、予約のカーソル領域Ｃ１の表示色は例えば青色となり、予約のカーソル領域Ｃ２およびカーソル領域Ｃ３の表示色は例えば赤色となる。
【００３０】
図５は、１月１０日の録画予約から別のＤＶＤになる場合を示す録画予約一覧画面である。図５においては、予約のカーソル領域Ｃ１およびカーソル領域Ｃ２の表示色は、例えば青色であり、予約のカーソル領域Ｃ３の表示色は、例えば赤色である。このような色分けをすることによって、１月１０日の録画予約のテレビ番組からは、現在挿入されていない別のＤＶＤに録画しなければならないことが分かる。
【００３１】
図６は本実施形態において録画予約を行う際に表示される録画予約一覧画面における録画予約の内容を示すカーソル領域の表示色の設定を行うための処理を説明するためのフローチャートである。このフローチャートおよび図１〜図５を参照して録画予約を行う際に表示される録画予約一覧画面における録画予約の内容を示すカーソル領域の表示色の設定を行うための処理について説明する。
【００３２】
先ず、ユーザは、リモコン２１を操作して、録画予約一覧画面をディスプレイ装置２０に表示させる。ここで、ユーザは、リモコン２１を操作して、録画予約一覧画面に所望のテレビ番組の録画予約を登録する。これにより、システムコントローラ２２は、録画予約を登録する指示がされたことを検知し（ステップＳ１）、ＣＰＵ２４の処理によりフラッシュＲＯＭ２３に、録画予約の情報（チャンネル、日付、録画開始時刻、録画終了時刻、録画モード）を登録する。
【００３３】
そして、システムコントローラ２２は、ＣＰＵ２４の処理によりフラッシュＲＯＭ２３をアクセスして、フラッシュＲＯＭ２３に録画予約の情報が登録されているか否かを調べることにより、録画予約が存在するか否かを判定し（ステップＳ３）、ステップＳ２での録画予約の情報の登録が無ければ、録画予約が存在しないことになるので、録画予約が存在しないと判定されたとき、本処理は終了する。
【００３４】
一方、ステップＳ２での録画予約の情報の登録処理が有れば、録画予約が存在することになるので、録画予約が存在すると判定されたときは、システムコントローラ２２は、挿入されているＤＶＤのディスク管理情報を読み出すことにより、録画できるＤＶＤが挿入されているか否かを判定する（ステップＳ４）。
【００３５】
録画できるＤＶＤが挿入されていないと判定されたとき、即ち、挿入されているＤＶＤが、録画できるＤＶＤでないとき、または録画できるＤＶＤであっても空き容量（残量）が無いＤＶＤであるときには、システムコントローラ２２の第１の表示処理手段は、録画予約一覧画面（図２参照）に表示された全ての録画予約の内容を示すカーソル領域Ｃ１，Ｃ２，Ｃ３については例えば黒色で表示させる（ステップＳ９）。
【００３６】
録画できる空き容量を有するＤＶＤが挿入されていると判定されたときには、システムコントローラ２２の第２の表示処理手段は、録画予約一覧画面に表示された先頭の録画予約から今の空き容量の状態で録画できる録画予約の内容を示すカーソル領域を同色で表示を行わせる（ステップＳ５）。即ち、第２の表示処理手段は、録画予約一覧画面に表示された先頭の録画予約の情報が示す録画時間（録画終了時刻から録画開始時刻を引いた時間）と録画モードとから、それぞれ録画予約したテレビ番組を録画するのに必要とする各記録容量を計算し、各記録容量を参照することにより、当該ＤＶＤで録画可能なテレビ番組に対する録画予約の内容を示すカーソル領域、例えば、図５で示すカーソル領域Ｃ１，Ｃ２を同色で表示させる。
【００３７】
更に、システムコントローラ２２の第３の表示処理手段は、残りの予約を各ＤＶＤで録画できる分量で同色で表示させる（ステップＳ６）。即ち、第３の表示処理手段は、現在挿入されているＤＶＤで録画できるテレビ番組の録画予約以外の残りのテレビ番組の録画予約の内容を示すカーソル領域については、録画予約一覧画面（図３参照）において各ＤＶＤの規定容量（例えば４．７ＧＢ）ずつ色分けして表示させる（ステップＳ６）。
【００３８】
この後、システムコントローラ２２は、フラッシュＲＯＭ２３に登録された録画予約の情報に従って録画を開始して終了したか否かを判定し（ステップＳ７）、録画を開始して終了したと判定すれば、録画した予約（フラッシュＲＯＭ２３に登録されている該当の録画予約の情報）を消去し（ステップＳ８）、ステップＳ３の処理に戻り、一方、録画を開始して終了していないと判定すれば、ステップＳ１の処理に戻る。
【００３９】
以上説明したように本実施形態によれば、ユーザは、現在挿入されているＤＶＤでは録画できないことが分かったり、現在挿入されているＤＶＤで録画できるテレビ番組が分かったりし、次のＤＶＤの交換時期や次の次のＤＶＤの交換時期などを前もって知ることができ、したがって、ＤＶＤの容量の確認の手間を省けると共に、録画漏れを防ぐことができる。
【産業上の利用可能性】
【００４０】
本発明は、ＤＶＤレコーダの録画予約一覧画面の表示機能に利用可能であり、ＤＶＤの交換時期が一目で把握できる。
【図面の簡単な説明】
【００４１】
【図１】本発明の一実施形態に係る光ディスク記録再生装置の構成を示すブロック図である。
【図２】前記実施形態において録画予約一覧画面の内容の一例を示す図である。
【図３】前記実施形態において録画予約一覧画面の内容の一例を示す図である。
【図４】前記実施形態において録画予約一覧画面の内容の一例を示す図である。
【図５】前記実施形態において録画予約一覧画面の内容の一例を示す図である。
【図６】前記実施形態において録画予約を行う際に表示される録画予約一覧画面における録画予約の内容を示すカーソル領域の表示色の設定を行うための処理を説明するためのフローチャートである。
【符号の説明】
【００４２】
１    光ディスク
２２１    第１の表示処理手段
２２２    第２の表示処理手段
２２３    第３の表示処理手段
２２４    第４の表示処理手段
２２５    第５の表示処理手段
【図１】
2008282509.tif 000003
【図２】
2008282509.tif 000004
【図５】
2008282509.tif 000005
【図６】
2008282509.tif 000006
【図３】
2008282509.tif 000007
【図４】
2008282509.tif 000008